(57)【特許請求の範囲】
【請求項１】
トンネル壁体を構築するセグメントの継手であって、
セグメントの一方の接合面より突出するように設けられ、内方に空洞部を有する弾性変形可能な筒体よりなるメス型部材と、
前記セグメントの一方の面と相対する面に位置する他方の接合面の切り欠き部の内方に設けられ、前記メス型部材の空洞部に嵌合するオス型部材とにより構成され、
該オス型部材の先端部が、膨出しているとともに、
前記メス型部材の筒体の先端部近傍が、その端面を内方の前記空洞部に向かうよう曲げ加工されて、
前記オス型部材の設けられる切欠き部の側面が、前記他方の接合面から前記オス型部材に向かう方向で、前記オス型部材に嵌合された状態の前記メス型部材の先端部近傍の外周面と接するように、テーパーが設けられることを特徴とするセグメントの継手。
【請求項２】
請求項１に記載のセグメントの継手において、
前記メス型部材の筒体の先端部近傍の断面形状が、端面を内方の前記空洞部に向かうように優弧状に形成されることを特徴とするセグメントの継手。
【請求項３】
請求項１または２に記載のセグメントの継手において、
前記メス型部材には、前記オス型部材の挿通方向に複数のスリットが設けられていることを特徴とするセグメントの継手。
【発明の詳細な説明】
【０００１】
【発明の属する技術分野】
本発明は、確実かつ容易に接合ができるセグメントの継手に関する。
【０００２】
【従来の技術】
従来より、多数のセグメントでトンネル壁体を構築する場合、セグメントの接合面に孔部を有する接合部材を埋め込んでおき、セグメントの接合面どうしを互いに当接させてそれらの孔部にボルトを貫通させて、このボルトにナットを螺着することにより多数のセグメントどうしを順次接合して構築している。
【０００３】
【発明が解決しようとする課題】
しかし、このような構成は、セグメント接合面の接合部材に形成された孔部にボルトを貫通させ、そのボルトにナットを螺着して締め付けなければならず、操作が極めて煩雑で手間がかかる。
【０００４】
上記事情に鑑み、本発明は、確実かつ容易に接合ができるセグメントの継手を提供することを目的としている。
【０００５】
【課題を解決するための手段】
請求項１記載のセグメントの継手は、トンネル壁体を構築するセグメントの継手であって、セグメントの一方の接合面より突出するように設けられ、内方に空洞部を有する弾性変形可能な筒体よりなるメス型部材と、前記セグメントの一方の面と相対する面に位置する他方の接合面の切り欠き部の内方に設けられ、前記メス型部材の空洞部に嵌合するオス型部材とにより構成され、該オス型部材の先端部が、膨出しているとともに、前記メス型部材の筒体の先端部近傍が、その端面を内方の前記空洞部に向かうよう曲げ加工されて、前記オス型部材の設けられる切欠き部の側面が、前記他方の接合面から前記オス型部材に向かう方向で、前記オス型部材に嵌合された状態の前記メス型部材の先端部近傍の外周面と接するように、テーパーが設けられることを特徴としている。
【０００６】
請求項２記載のセグメントの継手は、前記メス型部材の筒体の先端部近傍の断面形状が、端面を内方の前記空洞部に向かうように優弧状に形成されることを特徴としている。
【０００７】
請求項３記載のセグメントの継手は、前記メス型部材には、前記オス型部材の挿通方向に複数のスリットが設けられていることを特徴としている。
【０００８】
【発明の実施の形態】
以下、本発明のセグメントの継手について、図１から図３を用いて詳述する。本発明のセグメントの継手は、ボルトとナットを用いることなく、セグメントのメス型部材が設けられた一方の接合面に、隣り合うセグメントのオス型部材が設けられた他方の接合面を押しつけることにより、確実に隣り合うセグメントどうしを組み合わせるものである。
【０００９】
セグメント１の一方の接合面１ａには、一定の間隔を持って複数のメス型部材３が固着されている。図１に示すように、該メス型部材３は、中央部に空洞部４を有する筒体により構成されており、本体部３ｂの一部が前記セグメント１に埋設されて、固着手段により固着されている。また、前記一方の接合面１ａより突出する該メス型部材３の先端部３ａの近傍は、端面３ｃが前記空洞部４に向かうように曲げ加工されている。なお、本実施の形態では、曲げ加工された該メス型部材３の先端部３ａの断面形状が、円弧の一部を切り取った優弧状に形成されている。
【００１０】
一方、前記セグメント１における一方の接合面１ａに相対する面に位置する他方の接合面１ｂには、前記メス型部材３と同様の配置間隔を持って切欠き部２が設けられており、該切欠き部２の内方に、複数のオス型部材５が固着されている。該オス型部材５は、先端部５ａが、前記メス型部材３の本体部３ｂの内径とほぼ同様の外径を有する程度に膨出した棒材よりなり、本体部５ｂがセグメント１に埋設されて、固着手段により固着されている。
【００１１】
また、前記オス型部材５が設けられる切欠き部２の側面２ａは、前記他方の接合面１ｂからオス型部材５に向かう方向にテーパーが設けられており、オス型部材５がが嵌合された状態の該メス型部材３の先端部３ａの外周面と前記側面２ａが接触するように形成されている。
【００１２】
なお、該メス型部材３の本体部３ｂには、前記オス型部材５が挿通される方向にスリット７が複数設けられている。該メス型部材３に設けられたスリット７は、前記空洞部４に前記オス型部材５を格納しやすくするために設けるものであり、必ずしも設ける必要はない。
【００１３】
また、前記メス型部材３は、本体部３ｂに比べて先端部３ａ近傍の径が大きく構成されているが、これにこだわるものではなく、前記前記オス型部材５の先端部５ａが内包できる空洞部４を有していれば、何れの形状でも良い。
【００１４】
上述する構成による前記メス型部材３とオス型部材５の接合方法を以下に示す。図２に示すように、前記オス型部材５の先端部５ａに、前記メス型部材３の先端部３ａが当接されるように位置合わせを行った上で、前記メス型部材３の空洞部４に前記オス型部材５の先端部５ａを差し入れる。
【００１５】
前記空洞部４に前記オス型部材５の先端部５ａが内包された前記メス型部材３の先端部３ａは拡径されて、その外周面は前記切欠き部２の側面２ａと面どうしで接する。この状態で、さらに前記メス型部材３を前記切欠き部２の側面２ａに押し当てると、前記切欠き部２の側面２ａに接するメス型部材３の先端部３ａは、側面２ａより反力を受けて、メス型部材３の先端部３ａが縮径される。これにより、前記メス型部材３の先端部３ａの端面３ｃに、前記オス型部材５の先端部５ａを押し上げる力が発生する。これが、前記オス型部材５側のセグメント１と、メス型部材３側のセグメント１との間に生じる引き寄せ力となる。
【００１６】
上述する構成により、図３に示すように、前記オス型部材５の先端部５ａが前記メス型部材３の空洞部４に格納されて、前記セグメント１の継手６が形成されるとともに、前記一方の接合面１ａと他方の接合面１ｂは、面どうしで接合されることとなる。
【００１７】
このように一方の接合面１ａに前記メス型部材３を配し、他方の接合面１ｂに前記オス型部材５を配するセグメント１は、一方の接合面１ａに隣り合うセグメント１の他方の接合面１ｂを平行に向かい合わせ、これらの面どうしが突き合わされるように押しつけることにより継手６が形成され、隣り合うセグメント１どうしは連結されることとなる。したがって、隣り合うセグメント１どうしで、一方の接合面１ａと、他方の接合面１ｂが向かい合うように配列していくことで、隣り合うセグメント１は順次接合され、トンネル壁体が構築される。
【００１８】
上述する構成によれば、セグメント１の継手６は、前記空洞部４が設けられたメス型部材３と、空洞部４に嵌合する形状に設けられたオス型部材５とにより構成されることから、構成が簡略で、簡単かつ確実に継手を形成することができるため、セグメント１の組み立てが容易で、施工性を向上することが可能となる。
【００１９】
前記メス型部材３の先端部３ａの近傍が、前記端面３ｃを前記空洞部４に向けて曲げ加工されて、その断面形状が、円弧の一部を切り取った優弧状に形成されることから、前記オス型部材５の先端部５ａが前記メス型部材３に内包されて、メス型部材３の先端部３ａの外周面が前記切欠き部２の側面２ａに当接した後、さらに前記メス型部材３の先端部３ａの外周面を前記切欠き部２の側面２ａに押しつける際に、前記先端部３ａのどの部位に側面２ａが接しても、側面２ａから前記メス型部材３の先端部３ａに伝達される反力は、常に一定の方向に作用することとなるため、端面３ｃが前記オス型部材５を押し上げる力を確実に得ることができ、前記オス型部材５側のセグメント１と、メス型部材３側のセグメント１との間に引き寄せ力を生じさせることが可能となる。
【００２０】
前記メス型部材３の外周面には、前記オス型部材５への挿通方向にスリット７が設けられていることから、スムーズに前記メス型部材３の空洞部４に前記オス型部材５押し入れることができ、施工性を向上することが可能となる。
【００２１】
【発明の効果】
請求項１記載のセグメントの継手によれば、トンネル壁体を構築するセグメントの継手であって、セグメントの一方の接合面より突出するように設けられ、内方に空洞部を有する弾性変形可能な筒体よりなるメス型部材と、前記セグメントの一方の面と相対する面に位置する他方の接合面の切り欠き部の内方に設けられ、前記メス型部材の空洞部に嵌合するオス型部材とにより構成され、該オス型部材の先端部が、膨出しているとともに、前記メス型部材の筒体の先端部近傍が、その端面を内方の前記空洞部に向かうよう曲げ加工されて、前記オス型部材の設けられる切欠き部の側面が、前記他方の接合面から前記オス型部材に向かう方向で、前記オス型部材に嵌合された状態の前記メス型部材の先端部近傍の外周面と接するように、テーパーが設けられることから、構成が簡略で、簡単かつ確実に継手を形成することができるため、セグメントの組み立てが容易で、施工性を向上することが可能となる。
【００２２】
請求項２記載のセグメントの継手によれば、前記メス型部材の筒体の先端部近傍の断面形状が、端面を内方の前記空洞部に向かうように優弧状に形成されることから、前記オス型部材の先端部が前記メス型部材に内包されて、メス型部材の先端部の外周面が前記切欠き部の側面に当接した後、さらに前記メス型部材の先端部の外周面を前記切欠き部の側面に押しつけてる際に、前記先端部のどの部位に側面が接しても、側面から前記メス型部材の先端部に伝達される反力は、常に一定の方向に作用することとなるため、端面が前記オス型部材を押し上げる力を確実に得ることができ、前記オス型部材側のセグメントと、メス型部材側のセグメントとの間に引き寄せ力を生じさせることが可能となる。
【００２３】
請求項３記載のセグメントの継手によれば、前記メス型部材には、前記オス型部材の挿通方向に複数のスリットが設けられていることから、スムーズに前記メス型部材の空洞部に前記オス型部材を押し入れることができ、施工性を向上することが可能となる。
【図面の簡単な説明】
【図１】  本発明に係るセグメントのオス型部材、メス型部材を示す図である。
【図２】  本発明に係るセグメントのオス型部材、メス型部材の接合手順を示す図である。
【図３】  本発明に係るセグメントの継手を示す図である。
【符号の説明】
１  一方のセグメント
１ａ  一方の接合面
１ｂ  他方の接合面
２  切欠き部
２ａ  側面
３  メス型部材
３ａ  先端部
３ｂ  本体部
３ｃ  端面
４  空洞部
５  オス型部材
５ａ  先端部
５ｂ  本体部
６  継手
７  スリット
【図１】
0003933961.tif 000002
【図２】
0003933961.tif 000003
【図３】
0003933961.tif 000004